(57)【要約】      （修正有）【課題】蒸し饅頭類用包装体において、蒸し饅頭類を容易に収容させるとともに、蒸し饅頭類を収容した後の見栄えを良くし、また、蒸し饅頭類の保温・保湿効果を高める包装体を提供する。【解決手段】重合される一面部９と他面部１０とを備えて、蒸し饅頭類を入れる袋開口部１３を形成して一面部９と他面部１０との縁部同士を接着した収容袋部を設け、一面部９と他面部１０とのいずれか一方には、収容袋部内に蒸し饅頭類を収容した後で袋開口部１３を覆って収容袋部に被さる所定長さの包装面部１４を連設している。【選択図】図１
0003163372.tif 000002
【実用新案登録請求の範囲】
【請求項１】
重合される一面部と他面部とを備えて、蒸し饅頭類を入れる袋開口部を形成して前記一面部と前記他面部との縁部同士を接着した収容袋部を設け、前記一面部と前記他面部とのいずれか一方には、前記収容袋部内に蒸し饅頭類を収容した後で前記袋開口部を覆って前記収容袋部に被さる所定長さの包装面部を連設したことを特徴とする蒸し饅頭類用包装体。
【考案の詳細な説明】
【技術分野】
【０００１】
この考案は、蒸し饅頭類用包装体に係り、特に蒸し饅頭類を収容する蒸し饅頭類用包装体に関する。 
【背景技術】
【０００２】
コンビニストア等では、蒸されて熱くなった肉まんやあんまん等の蒸し饅頭類を、包装体に入れて購入者に提供している。 
この場合、包装体としては、一般的に、包装紙や、紙袋やビニール袋等の袋類が用いられている。袋類には、例えば、四角形状であって、蒸し饅頭類を入れる袋開口部を形成して重合された一面部と他面部との縁部同士を接着して構成されている。
【先行技術文献】
【特許文献】
【０００３】
【特許文献１】特開２００５−３２９９６８号公報
【０００４】
特許文献１に係る中華まん用包装体は、四角形状の包装体の内面に中華まんの表皮が接する不織布を設けて、表皮への水滴の付着や、表皮の剥がれを防止するものである。
【考案の概要】
【考案が解決しようとする課題】
【０００５】
ところが、従来、包装体においては、袋開口部で一面部の端面と他面部の端面とが略同一長さで重なっていることから、一面部と他面部とが密着する等で、蒸し饅頭類を袋開口部から入れて収容するのに手間がかかるとともに、コンビニストア等では、蒸し饅頭類を収容後に袋開口部から蒸し饅頭類が見えたりして、購入者への提供時の見栄えが悪く、また、温度低下が激しく、蒸気も逃げて、蒸し饅頭類の保温・保湿に不適であり、改善が望まれていた。
【０００６】
そこで、この考案の目的は、蒸し饅頭類を円滑に入れて収容させるとともに、蒸し饅頭類を収容した後の見栄えを良くし、また、蒸し饅頭類の保温・保湿効果を高める蒸し饅頭類用包装体を提供することにある。
【課題を解決するための手段】
【０００７】
この考案は、重合される一面部と他面部とを備えて、蒸し饅頭類を入れる袋開口部を形成して前記一面部と前記他面部との縁部同士を接着した収容袋部を設け、前記一面部と前記他面部とのいずれか一方には、前記収容袋部内に蒸し饅頭類を収容した後で前記袋開口部を覆って前記収容袋部に被さる所定長さの包装面部を連設したことを特徴とする。
【考案の効果】
【０００８】
この考案の蒸し饅頭類用包装体は、蒸し饅頭類を袋開口部から入れる際に包装面部をガイド部分として利用可能となり、蒸し饅頭類を円滑に入れて収容させるとともに、蒸し饅頭類を収容した後には包装面部で袋開口部を覆って蒸し饅頭類を見えなくし、見栄えを良くし、また、蒸し饅頭類の保温・保湿効果を高めることができる。
【図面の簡単な説明】
【０００９】
【図１】図１は蒸し饅頭類用包装体の斜視図である。（実施例１）
【図２】図２は蒸し饅頭類用包装体の平面図である。（実施例１）
【図３】図３は蒸し饅頭類用包装体の展開図である。（実施例１）
【図４】図４は蒸し饅頭類用包装体の袋開口部にトングの先端を入れた状態の斜視図である。（実施例１）
【図５】図５は蒸し饅頭類用包装体の袋開口部にトングの先端を入れて広げた状態の斜視図である。（実施例１）
【図６】図６は蒸し饅頭類用包装体の袋開口部を広げて収容空間を現出した状態の斜視図である。（実施例１）
【図７】図７は蒸し饅頭類用包装体の収容袋部内に中華まんを入れる状態の斜視図である。（実施例１）
【図８】図８は包装面部を折り曲げ始める状態の斜視図である。（実施例１）
【図９】図９は包装面部を折り曲げている状態の斜視図である。（実施例１）
【図１０】図１０は包装面部を折り曲げた状態の斜視図である。（実施例１）
【図１１】図１１は蒸し饅頭類用包装体で包んで中華まんを提供する状態の斜視図である。（実施例１）
【図１２】図１２は包装面部を収容袋部から切り離している状態の斜視図である。（実施例１）
【図１３】図１３は一方の接着部で一面部の隅部位と他面部の隅部位とを切り離している状態の斜視図である。（実施例１）
【図１４】図１４は一方の接着部で一面部の隅部位と他面部の隅部位とを折り曲げた状態の斜視図である。（実施例１）
【図１５】図１５は蒸し饅頭類用包装体の平面図である。（実施例２）
【図１６】図１６は蒸し饅頭類用包装体の平面図である。（実施例３）
【考案を実施するための形態】
【００１０】
この考案は、蒸し饅頭類を円滑に入れて収容させるとともに、蒸し饅頭類を収容した後の見栄えを良くし、また、蒸し饅頭類の保温・保湿効果を高める目的を、袋状体部の一面部と他面部とのいずれか一方に所定長さの包装面部を連設して実現するものである。
【実施例１】
【００１１】
図１〜図１４は、この考案の実施例１を示すものである。 
図１〜図３において、１は蒸し饅頭類としての、例えば肉まん、あんまん等の中華まんを収容する蒸し饅頭類用包装体である。 
【００１２】
この蒸し饅頭類用包装体１は、長方形状で薄い一枚の紙類やプラスチック類等からなって撓みが自在な板状体２から構成される。この板状体２は、図３に示すように、長手方向Ｘで長さＬの一側方縁部３Ａ・他側方縁部３Ｂと、短手方向Ｙで幅Ｗの一端方縁部４Ａ・他端方縁部４Ｂとにより、長方形状に形成されている。
この板状体２には、長手方向Ｘの一端方縁部４Ａの端面から所定の長さＨ１で短手方向Ｙに向かう折曲線５が形成されているとともに、この折曲線５から前記長さＨ１よりも所定の長さＭだけ大きい長さＨ２で短手方向Ｙに向かって切り離し可能な脆弱線としてのミシン目６が形成されている（Ｈ１＜Ｈ２）。
【００１３】
また、板状体２においては、折曲線５を中心に一端方縁部４Ａ側を長手方向Ｘの中央部位側に重なるように折り曲げると、一端方縁部４Ａの端面がミシン目６に重ならない箇所に位置し、そして、一側方縁部３Ａ・他側方縁部３Ｂでは、折曲線５から一端方縁部４Ａの端面に達しない長さＨ３（Ｈ３＜Ｈ２）かつ所定の幅Ｄで所定の接着手段によって剥離可能に接着された一側接着部７Ａ・一側接着部７Ｂが形成されるとともに、一端方縁部４Ａに端面とミシン目６との間で長さＨ４の一側非接着部８Ａ・一側非接着部８Ｂが形成される。
【００１４】
従って、蒸し饅頭類用包装体１では、折曲線５を中心に一端方縁部４Ａ側を長手方向Ｘの中央部位側に重なるように折り曲げた一面部９とこの一面部９が重なる他面部１０とによって収容空間１１を形成する収容袋部１２が構成され、また、一端方縁部４Ａでは中華まんＰを入れる袋開口部１３が形成され、さらに、一面部９と他面部１０との一方としての他面部１０には収容袋部１２内に中華まんＰを収容した後で袋開口部１３を覆って収容袋部１２に被さる所定の長さＮの包装面部１４がミシン目６を介して連設される。この包装面部１４の裏面には、収容袋部１２内に収容する中華まんＰ等の収容物を表示する文字や図形等の表示部１５を設けることも可能である（図９〜図１１参照）。
【００１５】
次いで、蒸し饅頭類用包装体１の使用状況を、図４〜図１１に沿って説明する。 
先ず、蒸し饅頭類用包装体１の袋開口部１３を手前にしかつ包装面部１４を下方に垂らした状態で、トングＴの先端を袋開口部１３から挿入し（図４参照）、そして、トングＴの先端を開いて（図５参照）、収容袋部１２内の収容空間１１を現出し（図６参照）、蒸された中華まんＰをトングＴで挟んでその収容空間１１に入れる（図７参照）。
このとき、蒸し饅頭類用包装体１においては、一端方縁部４Ａが袋開口部１３に位置する一方、他端方縁部４Ｂが下方に垂れた包装面部１４の端部位で一端方縁部４Ａから離れた箇所に位置することから、包装面部１４がガイド機能を有して、中華まんＰを円滑に袋開口部１３から入れて収容空間１１に収容させることができる。
【００１６】
そして、ミシン目６を中心に包装面部１４を、袋開口部１３を覆ってかつ収容袋部１２に被さるように折り曲げ（図８参照）、さらに、包装面部１４における他端方縁部４Ｂを他面部１０の方向へ回し（図９参照）、そして、包装面部１４における他端方縁部４Ｂを他面部１０の下方に位置させ（図１０参照）、蒸し饅頭類用包装体１で収容された中華まんＰを提供できる状態とする（図１１参照）。このとき、包装面部１４の裏面の表示部１５は、収容袋部１２の一面部９の上方で略中央部位に位置する。
このように、袋開口部１３側を包装面部１４で覆って中華まんＰを見えなくすることにより、中華まんＰを収容した蒸し饅頭類用包装体１の見栄えを良くすることができる。
また、中華まんＰが収容された収容袋部１２を包装面部１４で包み込むことにより、温度低下を防止するとともに、蒸気が逃げるのを防止して、中華まんＰの保温・保湿効果を高めることができる。
【００１７】
このように提供された中華まんＰを食べる際には、図１２に示すように、先ず、ミシン目６で包装面部１４を収容袋部１２から切り離すると、包装面部１４が邪魔にならず、そして、図１３に示すように、例えば、一側接着部７Ａで一面部９の隅部位と他面部１０の隅部位とを剥ぎ取り、そして、図１４に示すように、その剥ぎ取られた一面部９と他面部１０との隅部位を折り曲げ、中華まんＰを現出させて食べることが可能となる。
この場合、包装面部１４を切り離すとともに、一側非接着部８Ａ及び一面部９の隅部位と他面部１０の隅部位との剥ぎ取りによって、中華まんＰを簡便に現出させることができ、そして、中華まんＰを食べ易くさせることができる。
【実施例２】
【００１８】
図１５は、この考案の実施例２を示すものである。 
以下の実施例では、上述の実施例１と同一機能を果たす箇所には、同一符号を付して説明する。 
この実施例２の特徴とするところは、以下の点にある。即ち、蒸し饅頭類用包装体１の袋開口部１３の一端方縁部４Ａの端面には、幅方向Ｙの中央部位に深く湾曲する一側湾曲縁１５Ａ・他側湾曲縁１５Ｂを形成した。
このような構造により、中華まんＰを収容袋部１２から容易に取り出させることができる。 
【実施例３】
【００１９】
図１６は、この考案の実施例３を示すものである。 
この実施例３の特徴とするところは、以下の点にある。即ち、蒸し饅頭類用包装体１の袋開口部１３の一端方縁部４Ａの端面には、他側方縁部３Ｂから一側方縁部３Ａ側へ湾曲する湾曲縁１６を形成した。
このような構造により、中華まんＰを収容袋部１２から容易に取り出させることができる。 
【産業上の利用可能性】
【００２０】
この考案に係る蒸し饅頭類用包装体を、四角形状に限らず、円形形状や三角形状等の他の形状の板状体で構成することも可能である。
【符号の説明】
【００２１】
１  蒸し饅頭類用包装体 
２  板状体 
３Ａ  一側方縁部 
３Ｂ  他側方縁部 
４Ａ  一端方縁部 
４Ｂ  他端方縁部 
５  折曲線 
６  ミシン目 
７Ａ  一側接着部 
７Ｂ  他側接着部 
８Ａ  一側非接着部 
８Ｂ  他側非接着部 
９  一面部 
１０  他面部 
１１  収容空間 
１２  収容袋部 
１３  袋開口部 
１４  包装面部 
【図１】
0003163372.tif 000003
【図２】
0003163372.tif 000004
【図３】
0003163372.tif 000005
【図４】
0003163372.tif 000006
【図５】
0003163372.tif 000007
【図６】
0003163372.tif 000008
【図７】
0003163372.tif 000009
【図８】
0003163372.tif 000010
【図９】
0003163372.tif 000011
【図１０】
0003163372.tif 000012
【図１１】
0003163372.tif 000013
【図１２】
0003163372.tif 000014
【図１３】
0003163372.tif 000015
【図１４】
0003163372.tif 000016
【図１５】
0003163372.tif 000017
【図１６】
0003163372.tif 000018